(57)【特許請求の範囲】
【請求項１】
所定空間および空気調和機に関する入力データおよび気流解析計算の難易度の選択を受け付ける端末機器（２１）と、
所定空間および空気調和機に関する複数の項目を含む所定条件について予め行われた気流解析計算の結果を、前記所定条件毎に対応させて予め格納しているデータベース（６１）と、
前記端末機器（２１）が第１レベルの難易度を受け付けた場合には、前記端末機器（２１）が受け付けた入力データに応じて適合する所定条件と対応させて前記データベース（６１）に格納されている気流解析計算の結果を選択して出力し、前記端末機器（２１）が第２レベルの難易度を受け付けた場合に第１入力と第２入力とのいずれかを選択する情報を前記端末機器（２１）を介して受け付け、前記第１入力が選択された場合には、前記データベース（６１）に格納されている前記所定条件の１つについての選択を前記端末機器（２１）を介して受け付け、該所定条件の項目の少なくともいずれか１つの変更を前記端末機器（２１）を介して受け付け、変更後の所定条件を基に気流解析計算を行い、前記第２入力が選択された場合には、前記所定条件のうちの項目の１つのデータを受け付けて前記データベース（６１）に格納されている前記所定条件の絞り込みを行い、前記絞り込まれた前記所定条件の中から１つの所定条件についての選択を受け付け、前記選択された該所定条件の項目の少なくともいずれか１つの変更を前記端末機器（２１）を介して受け付けて気流解析計算を行うサーバ（１１，１２，１３）と、
を備えた気流解析結果提供システム（１）。
【発明の詳細な説明】
【０００１】
【発明の属する技術分野】
本発明は、気流解析結果提供システム、特に通信網を介して気流解析の結果を提供するシステムに関する。
【０００２】
【従来の技術】
空気調和機を店舗などに設置する際、空気調和機の効率や効果などを前もって確認するため、気流解析のシミュレーションを行う場合がある。このシミュレーションを元にして、より適切な空気調和機の選定及び設置位置の決定を行う。
【０００３】
このシミュレーションでは、対象となる店舗などの形状などの条件に基づいて、空気調和機の位置や種類を様々に設定し、主に気流流れと温度分布とを解析計算している。さらに詳細なシミュレーションを行う場合には、店舗などに設置してある什器の位置や空間内外から発生する熱などの条件をさらに付加して解析計算を行う。
【０００４】
【発明が解決しようとする課題】
気流流れや温度分布の解析を行うためには、大規模な流体解析計算を行う必要があるため、大型コンピュータなどで専用の流体解析プログラムにより解析計算を行うことになる。ここで熱の発生などの条件を付加すると、さらに計算時間が延びることになる。解析計算に要する費用は、コンピュータの占有時間に比例する場合が一般的であるため、シミュレーションに要するコストは非常に高い。このため、一部の大規模購入予定者を対象とするケースを除いて、販売時に気流解析のシミュレーションを行うことは稀となっている。空気調和機の販売業者がその他一般の購入予定者へ空気調和機を販売する場合には、シミュレーションを行わずに、空気調和機の熱負荷計算と販売業者の経験とに依存して機種や配置場所の選定を行うことが多い。
【０００５】
一方、簡易的なシミュレーションであれば、それほどコストを要せずに計算を行うことも可能である。しかし、やはり流体解析計算を行える大型コンピュータと解析プログラムとを所有する外部会社に委託する必要があり、空気調和機の販売業者にとってシミュレーションを行うことが容易となる環境は整えられていない。
【０００６】
本発明の課題は、所定空間内に空気調和機を設置した場合における気流解析結果を空気調和機の販売業者に提供するシステムを構築すること、及びシステムに用いられるＷｅｂサーバを提供することにある。
【０００７】
【課題を解決するための手段】
請求項１に記載の気流解析結果提供システムは、端末機器と、データベースと、サーバとを備えている。端末機器は、所定空間および空気調和機に関する入力データおよび気流解析計算の難易度の選択を受け付ける。データベースは、所定空間および空気調和機に関する複数の項目を含む所定条件について予め行われた気流解析計算の結果を、所定条件毎に対応させて予め格納している。サーバは、端末機器が第１レベルの難易度を受け付けた場合には、端末機器が受け付けた入力データに応じて適合する所定条件と対応させてデータベースに格納されている気流解析計算の結果を選択して出力する。また、サーバは、端末機器が第２レベルの難易度を受け付けた場合には、第１入力と第２入力とのいずれかを選択する情報を端末機器を介して受け付ける。そして、第１入力が選択された場合には、データベースに格納されている所定条件の１つについての選択を端末機器を介して受け付け、該所定条件の項目の少なくともいずれか１つの変更を端末機器を介して受け付け、変更後の所定条件を基に気流解析計算を行う。さらに、第２入力が選択された場合には、所定条件のうちの項目の１つのデータを受け付けてデータベースに格納されている所定条件の絞り込みを行い、絞り込まれた所定条件の中から１つの所定条件についての選択を受け付け、選択された該所定条件の項目の少なくともいずれか１つの変更を端末機器を介して受け付けて気流解析計算を行う。
【０００８】
【発明の実施の形態】
本発明に係る気流解析結果提供システム１（以下、本システム１と省略。）のブロック図を図１に示す。本システム１は、空気調和機を販売する空調販売店および空気調和機の選定を行う設計事務所を対象としたシステムである。空調販売店など利用者Ｕが、店舗などのオーナー等のユーザーに対して空気調和機の選定および販売を促進するために気流解析結果を用いるために、本システム１を用いる。
【０００９】
気流解析計算を行う対象は、大規模住宅、事務所、店舗、工場などの室内空間である。気流解析計算により、その室内に空気調和機を設置することで得られる室内の気流流れ及び温度分布を求め、その気流解析結果に基づいて空気調和機の機種選定や設置場所の選択に役立てる。
【００１０】
なお、利用者Ｕとの契約としては、気流解析計算を行うコンピュータのＣＰＵ使用時間に応じた課金を行われることが多い。本システム１では、気流解析計算の難易度（レベル）の選択を行うことができるので、これによりＣＰＵを十分使用して詳細な気流解析計算を行ったり、逆に簡易的な気流解析によりＣＰＵ使用時間を少なくすることができる。
【００１１】
また、契約手段としては、その他に、気流解析計算の年間利用可能回数を決めて、その回数を超えた場合にはＣＰＵ使用時間に応じた課金を行うような契約や、気流解析計算を行った結果のデータ量に応じた課金を行う契約などが挙げられる。
【００１２】
次に、気流解析計算の難易度の説明を行う。
【００１３】
難易度が低い並レベルでは、所定条件を設定して予め行われた気流解析計算の結果（既解析結果のデータ、以下、既解析データと省略。）のデータベースである既解析データベースから、利用者Ｕの設定情報に応じて既解析データを選択し、気流解析結果として提供する。この並レベルでは、気流解析の精度は低いが、実際の処理が既解析データベースからの選択のみとなるため、ほぼリアルタイムに気流解析結果を提供することができる。さらに、気流解析結果を安価に提供することができる。
【００１４】
難易度が高い難レベルでは、利用者Ｕの設定情報に従って詳細な気流解析計算を行い、その結果を提供する。この難レベルでは、設定情報に基づく条件が多岐にわたると共に、求める条件が利用者Ｕによって異なるため、専属の気流解析計算オペレータ（以下、オペレータＯと省略。）により試行錯誤の処理が行われる。難レベルで提供される気流解析の精度は高いが、気流解析結果を提供するまでの時間が長く掛かり（約４８時間前後）、気流解析結果に必要な費用が非常に高価である。
【００１５】
難易度が、並レベルと難レベルとの中間である中レベルでは、実際に気流解析計算を行うが利用者Ｕが与える設定情報数を抑えると共に気流解析計算の難易度を抑えることにより、難レベルよりも短時間で（約６〜２４時間）、並レベルよりも高精度の気流解析結果を提供することができる。
【００１６】
なお、上記した所要時間は、気流解析計算の内容及び現状のコンピュータ能力などによる参考時間であり、使用するコンピュータの能力などにより変化するものであるため、これに限られるものではない。
【００１７】
気流解析結果は、図２、図３のように画像データとして提供される。詳細は後述する。
【００１８】
＜全体の構成＞
本システム１は、Ｗｅｂサーバ１１、解析サーバ１２、選択サーバ１３、オペレータ端末１４、端末２１、及びインターネット３１とから構成されている。
【００１９】
Ｗｅｂサーバ１１は、インターネット３１、解析サーバ１２、及び選択サーバ１３に接続されている。Ｗｅｂサーバ１１は、端末２１からインターネット３１を介して送られてくる情報を受け付けて、解析サーバ１２、選択サーバ１３、又はオペレータ端末１４にその情報を受け渡し、解析サーバ１２、選択サーバ１３、又はオペレータ端末１４から送られる気流解析結果を受けて、その気流解析結果を端末２１で取得可能にする。この情報とは、空気調和機の設置場所における諸条件である。
【００２０】
Ｗｅｂサーバ１１は、入出力部４１、送受信部４２を有している。入出力部４１は、インターネット３１を介して各端末２１との入出力を担う。送受信部４２は、解析サーバ１２及び選択サーバ１３との入出力を担う。
【００２１】
解析サーバ１２は、Ｗｅｂサーバ１１に接続されており、Ｗｅｂサーバ１１から受けた情報に基づいて自動的に気流解析計算を行い、その結果を気流解析結果としてＷｅｂサーバ１１に送る。この気流解析計算は、温度分布解析計算を含んでいる。また、Ｗｅｂサーバ１１を介して接続されているオペレータ端末１４からの解析指示に従って気流解析計算を行う。さらに、解析サーバ１２は、気象情報データを記憶する記憶部５１を有しており、設置場所及び／又は季節毎の気象情報に基づいた気流解析計算を行うことが可能となっている。
【００２２】
選択サーバ１３は、既解析データベースを記憶する記憶部６１を有している。選択サーバ１３は、Ｗｅｂサーバ１１から受けた情報に基づいて、既解析データベースから適合する既解析データを選択し、その既解析データを気流解析結果としてＷｅｂサーバ１１に送る。
【００２３】
オペレータ端末１４は、解析サーバ１２で自動的に解析が行えないような、情報の条件が多くて難易度の高い気流解析計算を行う際に、気流解析計算専属のオペレータＯに情報を提供すると共に、オペレータＯの解析指示の入力を受け付ける。解析指示は解析サーバ１２に送られる。
【００２４】
端末２１は、インターネット３１を介してＷｅｂサーバ１１と接続されており、端末２１を利用する利用者Ｕにより情報などが入力されると共に、Ｗｅｂサーバ１１により取得可能とされた気流解析結果を受け取ることが可能である。
【００２５】
＜動作＞
本システム１の処理について、図４から図１２に記載のフローチャートに従って説明を行う。ここでは、Ｗｅｂサーバ１１、解析サーバ１２、選択サーバ１３、及びオペレータ端末１４の処理の説明を行う。
【００２６】
［Ｗｅｂサーバ・メインルーチン］
図４に従って、Ｗｅｂサーバ１１のメインルーチンの説明を行う。
【００２７】
まず、ステップＳ１にて、インターネット３１を介して端末２１からアクセスがあったときに、入出力部４１及びインターネット３１を経て端末２１に受付画面を表示するデータを送信する。受付画面は、予め利用者Ｕに与えられているユーザーネーム及びパスワードの入力を受け付ける表示である。
【００２８】
続いて、ステップＳ２では、利用者Ｕにより端末２１に入力されたユーザーネーム及びパスワードの認証を行う。認証が成功した場合は、利用者Ｕを特定し、ステップＳ３へ移行する。認証が失敗した場合は、ステップＳ１へ復帰し、再度ユーザーネーム及びパスワードの入力を受け付ける。
【００２９】
ステップＳ３では、端末２１に利用者Ｕから気流解析計算の難易度（レベル）の選択を受け付ける表示を行うようデータを送信し、選択を受ける。利用者Ｕの選択したレベルが、難レベルである場合にはステップＳ４へ、中レベルである場合にはステップＳ５へ、並レベルである場合にはステップＳ６へ、それぞれ移行する。
【００３０】
ステップＳ４では、難レベルの気流解析計算処理を行うサブルーチンへ移行する。処理が終了した後にステップＳ７へ移る。
【００３１】
ステップＳ５では、中レベルの気流解析計算処理を行うサブルーチンへ移行する。処理が終了した後にステップＳ７へ移る。
【００３２】
ステップＳ６では、並レベルの気流解析計算処理を行うサブルーチンへ移行する。処理が終了した後にステップＳ７へ移る。
【００３３】
ステップＳ７では、各レベルでの処理において出力された気流解析結果を受信する。
【００３４】
続いて、ステップＳ８では、受信した気流解析結果にコード番号を付加する。このコード番号は、利用者Ｕが気流解析結果をいつでも引き出せるように気流解析結果を特定するために付けられる番号である。
【００３５】
ステップＳ７、Ｓ８を受けて、ステップＳ９では、コード番号が付加された気流解析結果を利用者Ｕに示す。示す手段としては、利用者Ｕのメールアドレス宛にメールにて気流解析結果を送信したり、気流解析計算が終了した旨を利用者Ｕのメールアドレス宛にメールにて連絡すると共にＷｅｂページから気流解析結果を取得可能にしたり、もしくは端末２１に気流解析結果を表示させたりする。また、気流解析結果は、図２から図５のような１視点の画像データとして提供されるが、数値データとして提供したり、端末２１の仮想現実化ソフト向けデータを提供することにより仮想現実空間内に気流解析結果を見れるようにしても良い。
【００３６】
［Ｗｅｂサーバ・並レベル処理ルーチン］
並レベル処理が選択された場合についての説明を行う。
【００３７】
まず、図５に従って、Ｗｅｂサーバ１１の並レベル処理ルーチンの説明を行う。
【００３８】
ステップＳ１１では、端末２１に情報入力を受け付ける表示を行わせるデータを送信し、利用者Ｕにより入力される情報を受け付ける。
【００３９】
利用者Ｕが入力する情報としては、空気調和機を設置する空間の大きさや形状、窓の有無や大きさ、入口位置や数量、及び方位、また室内における空気調和機の設置位置、種類、及び数量、空間の使用用途（事務所、レストラン、ブティック、コンビニエンスストアなど）、などが挙げられる。空間の方位や入口位置などから、室内の窓や壁面からの流入熱条件である外部侵入負荷が分かる。
【００４０】
これらの情報が入力されると、ステップＳ１２に移行する。
【００４１】
ステップＳ１２では、入力された情報を送受信部４２を介して選択サーバ１３に送る。この後にメインルーチンのステップＳ７に復帰し、選択サーバ１３から気流解析結果を受信する。
【００４２】
［選択サーバ・並レベル処理ルーチン］
次に、図６に従って、選択サーバ１３の並レベル処理ルーチンの説明を行う。
【００４３】
ステップＳ２１で、選択サーバ１３は、Ｗｅｂサーバ１１のステップＳ１２にて送られた情報を受信する。この情報は、利用者Ｕが端末２１に入力した情報である。
【００４４】
続いて、ステップＳ２２では、記憶部６１に記憶されている既解析データベースから、ステップＳ２１で受信した情報に応じて適合する既解析データを選択する。
【００４５】
ステップＳ２３では、ステップＳ２２で選択された既解析データを気流解析結果としてＷｅｂサーバ１１に送信する。
【００４６】
［Ｗｅｂサーバ・中レベル処理ルーチン］
次に、中レベル処理が選択された場合についての説明を行う。
【００４７】
まず、図７に従って、Ｗｅｂサーバ１１の中レベル処理ルーチンの説明を行う。
【００４８】
ステップＳ３１において、以前に並レベルで行った気流解析結果を使用するか否か選択を受け付ける画面を表示するデータを端末２１に送信する。これは、利用者Ｕが以前に行った並レベルの気流解析計算の際の情報を元にして、この情報を変更し、変更後の情報に基づいて気流解析計算を行わせたいかどうか、について入力を受け付けるものである。
【００４９】
以前の並レベルの情報を変更した情報により中レベルの気流解析計算を行いたいとの入力が端末２１に為された場合には、ステップＳ３２へ移行する。一方、新しく情報を入力したいので以前の情報は用いない、との入力があった場合には、ステップＳ３６へ移行する。
【００５０】
ステップＳ３２では、以前の並レベルの情報を呼び出すために、以前の気流解析結果に付加されていたコード番号の入力を受け付ける画面を表示させるデータを端末２１に送信すると共に、端末２１で入力されたコード番号を受信する。
【００５１】
続いて、ステップＳ３３では、コード番号に基づいて選択サーバ１３の記憶部６１の既解析データを特定し、その既解析データの気流解析計算の元の条件である所定条件を選択サーバ１３から呼び出す。所定条件を呼び出した後にステップＳ３４へ移る。
【００５２】
ステップＳ３４では、端末２１に所定条件を元にして、変更点を受け付ける表示を行わせるデータを送信し、利用者Ｕにより入力される変更点を受け付ける。この変更後の所定条件を、利用者Ｕから入力された情報であると見なし、ステップＳ３５へ移行する。
【００５３】
変更点としては、ステップＳ１１で入力を受け付けた情報に加えて、空気調和機を設置する空間の所属する建物が鉄筋か木造か、建物の何階にあるか、窓材の種類（透過率など）はどうか、建物の周辺環境条件（住所）はどうか、空間内部の熱源（コンロ、レンジ、コンピュータ、人数など）の位置及び数量がどうか、などが挙げられる。空間内部の熱源の位置や数量により、空間内部における内部発熱負荷が明らかになる。
【００５４】
また、ここで、空気調和機を設置する空間の形状などをＣＡＤデータで受け付けても良い。この場合、利用者Ｕは、詳細な空間形状のデータを容易に入力することが可能であり、さらに既存のＣＡＤデータであれば、データの入力工数を省くことが可能となる。
【００５５】
ステップＳ３５では、入力された情報を送受信部４２を介して解析サーバ１２に送信する。この後にメインルーチンのステップＳ７に復帰し、解析サーバ１２から気流解析結果を受信する。
【００５６】
ステップＳ３１から移行してきたステップＳ３６では、情報入力に既解析データベースの既解析データの元となる所定条件を利用するか否か選択を受け付ける画面を表示するデータを端末２１に送信する。これは、情報の全てを入力することが大変である場合や、まだ空間の詳細情報が明らかでない場合に、既解析データベースに含まれている所定条件を流用して、所定条件から変更することで一旦気流解析計算を行わせる場合に用いる。
【００５７】
所定条件を利用する場合には、ステップＳ３７へ移行する。一方、所定条件を利用しない場合には、ステップＳ３９へ移行する。
【００５８】
ステップＳ３７では、所定条件の絞り込みを行うために、端末２１に少量の情報の入力を受け付ける画面を表示させるデータを送信すると共に、入力された情報を元にして所定条件を絞り込む。既解析データベースの所定条件の数量が膨大であると、利用者Ｕが所定条件を選択するのが大変なので、利用者Ｕに少量の情報を入力させることで所定条件を絞り込む。
【００５９】
ステップＳ３８では、ステップＳ３７で絞り込んだ所定条件のリストを端末２１に表示させると共に、利用者Ｕにより選択された所定条件を受け付ける。この後、ステップＳ３４に移行して、端末２１に変更点の受付表示をさせると共に端末２１に入力される変更点の受付を行う。
【００６０】
ステップＳ３６から移行してきたステップＳ３９では、今回の中レベル処理が既解析データベースの所定条件を利用しない非データベース中レベルであるとする。非データベース中レベルであることから、この中レベル処理での気流解析結果は選択サーバ１３の既解析データベースに保存されない。（解析サーバ１２のステップＳ５３にて詳述する。）
【００６１】
続いて、ステップＳ４０にて、端末２１に情報入力を受け付ける表示を行わせる表示データを送信し、利用者Ｕにより入力される情報を受け付ける。情報を受けた後に、ステップＳ３５に移行して、情報を解析サーバ１２に送信し、メインルーチンのステップＳ７に復帰し、解析サーバ１２から気流解析結果を受信する。
【００６２】
［解析サーバ・中レベル処理ルーチン］
次に、図８に従って、解析サーバ１２の中レベル処理ルーチンの説明を行う。
【００６３】
まず、ステップＳ５１では、Ｗｅｂサーバ１１のステップＳ３５において送信された情報を受信する。
【００６４】
続いてステップＳ５２にて、受信した情報に基づいて気流解析計算を実行して気流解析結果を求める。気流解析計算の内容は、空気調和機を設置する空間の気流流れ及び温度分布である。また、年間の電気代についても予測することが可能である。
【００６５】
このときに、利用者Ｕにより入力された情報のうち、建物の住所及び方位と、解析サーバ１２の記憶部５１に記憶されている気象情報データとにより、建物の周辺環境条件及び気象条件を求めることができる。これにより、気候の違い及び季節の違いを含めた気流解析計算を行うことができる。
【００６６】
気流解析計算が終了すると、ステップＳ５３に移行し、今回の中レベル処理が非データベース中レベルであるか否かを判定する。非データベース中レベルではない場合、ステップＳ５４に移行する。一方、非データベース中レベルである場合には、ステップＳ５５に移行する。
【００６７】
ステップＳ５４では、ステップＳ５２で求められた気流解析結果と、その元となる情報（変更後の所定条件）とを選択サーバ１３に送信する。その後ステップＳ５５に移行する。
【００６８】
ステップＳ５５は、ステップＳ５２で求められた気流解析結果をＷｅｂサーバ１１に送信する。
【００６９】
［選択サーバ・中レベル処理ルーチン］
図９に従って、選択サーバ１３の中レベル処理ルーチンの説明を行う。
【００７０】
まず、ステップＳ６１で、解析サーバ１２から送られてくる気流解析結果と、その元となる情報とを受信する。
【００７１】
次に、ステップＳ６２では、受信した情報を所定条件として、気流解析結果を所定条件に基づいて気流解析計算された既解析データであるとして、記憶部６１に記憶されている既解析データベースに追加する。これにより、既解析データベースの内容が充実する。
【００７２】
［Ｗｅｂサーバ・難レベル処理ルーチン］
難レベル処理が選択された場合についての説明を行う。
【００７３】
まず、図１０に従って、Ｗｅｂサーバ１１の難レベル処理ルーチンの説明を行う。
【００７４】
ステップＳ７１では、端末２１に情報入力を受け付ける表示を行わせるデータを送信し、利用者Ｕにより入力される情報を受け付ける。
【００７５】
利用者が入力する情報としては、並レベル及び中レベルで入力される情報に加えて、家具や什器の配置、換気条件などが挙げられる。
【００７６】
ステップＳ７２では、ステップＳ７１で入力された情報を送受信部４２を介してオペレータ端末１４に送信する。この後にメインルーチンのステップＳ７に復帰し、オペレータ端末１４から気流解析結果を受信する。
【００７７】
［オペレータ端末・難レベル処理ルーチン］
図１１に従って、オペレータ端末１４の難レベル処理ルーチンの説明を行う。
【００７８】
まず、ステップＳ８１では、Ｗｅｂサーバ１１のステップＳ７２で送信された情報を受信する。
【００７９】
続いて、ステップＳ８２にて、オペレータＯによる解析指示の入力を受け付ける。オペレータＯは、受信した情報に適する気流解析計算の手法を考え、その選択内容及び情報のうち使用する部分を選択して、オペレータ端末１４に入力する。
【００８０】
ステップＳ８３では、ステップＳ８２でオペレータＯに入力された解析指示を解析サーバ１２に送信する。
【００８１】
ステップＳ８４では、解析サーバ１２にて解析された気流解析結果を受信して、オペレータＯに示す。
【００８２】
続いて、ステップＳ８５では、オペレータＯがステップＳ８４で示された結果が好ましいか否かを判断した結果を受け付ける。オペレータＯが十分な気流解析結果が得られたと判断して、ＯＫとした場合には、ステップＳ８６に移行する。オペレータＯが手法を変えて再度の気流解析を行うべきと判断した場合には、ステップＳ８２に復帰して、オペレータＯが再度手法を変更して解析サーバ１２に気流解析を行わせる。
【００８３】
［解析サーバ・難レベル処理ルーチン］
図１２に従って、解析サーバ１２の難レベル処理ルーチンの説明を行う。
【００８４】
まず、ステップＳ９１において、オペレータ端末１４のステップＳ８３で送信された解析指示を受け付ける。
【００８５】
続いて、ステップＳ９２で、解析指示に従って気流解析計算を行う。これによって求められる結果には、気流流れ及び温度分布であり、換気流れが追加される場合もある。
【００８６】
ステップＳ９３では、ステップＳ９２において求められた気流解析結果をオペレータ端末１４に送信する。
【００８７】
＜気流解析結果の例＞
以上の動作により、空気調和機を設置した空間における気流解析結果が求められる。
【００８８】
求められた気流解析結果の例として、図２、図３の説明を行う。
【００８９】
図２及び図３は、同一の室内における同一の気流解析結果である。図２は、気流流れについての画像データである。図３は、特定面における温度分布についての画像データである。これらの図により、当該室内での風量の強弱や温度の高低分布を知ることができる。
【００９０】
＜特徴＞
情報を受け付けるＷｅｂサーバ１１と、気流解析計算を行う解析サーバ１２とが別になっているため、Ｗｅｂサーバ１１の負荷が軽減されると共に、解析サーバ１２の利用効率が向上する。
【００９１】
並レベルの気流解析計算は、簡易的な気流解析として、所定条件を設定して予め行われた既解析データベースから利用者Ｕの希望する条件に応じた既解析データを選択して、その選択された既解析結果を気流解析結果として利用者Ｕに提供するものである。並レベルでは、実際に気流解析計算を行っていないため、気流解析結果の精度は低い。しかし、予め気流解析計算が行われているため、実際に必要な処理は、選択サーバ１３により既解析データベースから好ましい既解析データを選択することだけとなる。このため、処理時間が実際に気流解析計算を行う場合に比べて非常に短くて済むと共に、サーバ利用時間が短いため利用コストが低く抑えられる。
【００９２】
中レベルの気流解析計算では、実際に気流解析計算を行うため、利用者Ｕは、必要な気流解析計算の精度により、選択することが可能となる。また、利用者Ｕが並レベルの所定条件を変更した情報（変更後の所定条件）を元にして中レベルの気流解析計算を行うことにより既解析データベースの内容が充実する。これにより、並レベルの気流解析計算を行う場合であっても、選択サーバ１３による選択肢が増加し、気流解析結果の精度が向上することになる。
【００９３】
また、以前の並レベルの気流解析計算を行う所定条件を変更して中レベルの気流解析計算を行うことが可能であるため、簡易的な並レベルの結果により気流解析結果の概観を得た後に詳細な気流解析計算を行わせることができる。すなわち、全ての気流解析計算を中レベルや難レベルで行う場合よりも、様々な並レベルの気流解析結果を得た中から好ましい条件設定の気流解析計算を行えば、時間及びコストを抑えることが可能となる。
【００９４】
さらに、インターネット３１を介して端末２１とＷｅｂサーバ１１とが接続されているため、利用者Ｕは、インターネット３１に接続する場所であればどこでも本システム１を利用することが可能である。よって、例えば利用者Ｕが商談中に気流解析を行うよう本システム１にアクセスすることにより、その結果を用いて商談相手に提示して空気調和機の販売促進を図ることも可能となる。
【００９５】
＜他の実施例＞
本実施形態における本システム１では、選択サーバ１３がＷｅｂサーバ１１と別に設けられている。利用者Ｕにより選択されたレベルが並レベルの場合、端末２１に入力された情報は、Ｗｅｂサーバ１１から選択サーバ１３に送信されて、記憶部６１の既解析データベースから選択サーバ１３により既解析データが選択されて、気流解析結果としてＷｅｂサーバ１１に送信される。しかし、既解析データベースからの選択処理は、負荷としてあまり重くないため、選択サーバ１３を省略し、Ｗｅｂサーバ１１が選択サーバ１３の役割を担うようにしても良い。
【００９６】
また、記憶部６１は、選択サーバ１３が有しているが、別の記憶サーバが既解析データベースを記憶しており、選択サーバ１３の要求に応じて既解析データベースの既解析データを提供するようにしてもよい。
【００９７】
【発明の効果】
請求項１に記載の気流解析結果提供システムでは、端末機器と応対サーバとが通信網により接続されており、応対サーバは端末機器からの情報を受けることができるため、サービス利用者が端末機器に情報を入力することが可能であれば、どこに居ても気流解析サービスを受けることができる。
【図面の簡単な説明】
【図１】  本発明に係る気流解析結果提供システムのブロック図。
【図２】  気流解析結果提供システムで提供される気流解析結果の一例。気流流れを図示。
【図３】  気流解析結果提供システムで提供される気流解析結果の一例。図２と同一気流解析において、温度分布を図示。
【図４】  Ｗｅｂサーバのメインルーチンのフロー図。
【図５】  Ｗｅｂサーバの並レベル処理のフロー図。
【図６】  選択サーバの並レベル処理のフロー図。
【図７】  Ｗｅｂサーバの中レベル処理のフロー図。
【図８】  解析サーバの中レベル処理のフロー図。
【図９】  選択サーバの中レベル処理のフロー図。
【図１０】  Ｗｅｂサーバの難レベル処理のフロー図。
【図１１】  オペレータ端末の難レベル処理のフロー図。
【図１２】  解析サーバの難レベル処理のフロー図。
【符号の説明】
１  気流解析結果提供システム（本システム）
１１  Ｗｅｂサーバ
１２  解析サーバ
１３  選択サーバ
１４  オペレータ端末
２１  端末
３１  インターネット
４１  入出力部
４２  送受信部
５１  記憶部
６１  記憶部
Ｕ  利用者
Ｏ  オペレータ
【図１】
0004151259.tif 000002
【図２】
0004151259.tif 000003
【図３】
0004151259.tif 000004
【図４】
0004151259.tif 000005
【図５】
0004151259.tif 000006
【図６】
0004151259.tif 000007
【図７】
0004151259.tif 000008
【図８】
0004151259.tif 000009
【図９】
0004151259.tif 000010
【図１０】
0004151259.tif 000011
【図１１】
0004151259.tif 000012
【図１２】
0004151259.tif 000013